(57)【要約】【課題】  表示部筐体の正面に設けられた正面表示部または表示部筐体の背面に設けられた背面表示部のいずれで表示している場合でも、最適なステレオ音声再生を行う。【解決手段】  制御部２０１は、上記開閉検出部２１２の検出結果に基づいて正面表示部２０６または背面表示部２０７のどちらで表示しているかを判断するとともに、傾きセンサ２１４の検出結果に基づいて表示画面の傾き（向き）を判断する。そして、どちらに表示しているか、また、その表示画面の傾き（向き）に応じて、右（Ｒ）成分、左（Ｌ）成分の音声をスピーカ２０９、２１０に振り分けて最適なステレオ音声再生を行う。【選択図】  図１
2006174074.tif 000002
【特許請求の範囲】
【請求項１】
正面に第１の表示手段と背面に第２の表示手段とが設けられた表示部筐体とキー入力手段が設けられた操作部筐体とを備えるステレオ音声再生機能を有する二つ折りの携帯端末において、
前記第１の表示手段もしくは前記第２の表示手段のいずれか一方を挟んで対向する位置に設けられた第１のスピーカおよび第２のスピーカと、
前記第１の表示手段もしくは前記第２の表示手段のどちらで表示されているかを検出する第１の検出手段と、
前記第１の検出手段による検出結果に基づいて、前記第１のスピーカと前記第２のスピーカとに対する、左成分の音声と右成分の音声との出力を切り替える音声出力切替手段と
を具備することを特徴とする携帯端末。
【請求項２】
当該携帯端末の傾きを検出する第２の検出手段を具備し、
前記音声出力切替手段は、前記第１の検出手段による検出結果に加えて、前記第２の検出手段による検出結果に基づいて、前記第１のスピーカと前記第２のスピーカとに対する、左成分の音声と右成分の音声との出力を切り替えることを特徴とする請求項１記載の携帯端末。
【請求項３】
前記音声出力切替手段は、前記第２の検出手段による検出結果に基づいて、当該携帯端末が横置きにされた場合に、前記第１のスピーカと前記第２のスピーカのうち、どちらが左側に位置し、どちらが右側に位置するかを判断することを特徴とする請求項２記載の携帯端末。
【請求項４】
正面に第１の表示手段と背面に第２の表示手段とが設けられた表示部筐体とキー入力手段が設けられた操作部筐体とを備えるステレオ音声再生機能を有する二つ折りの携帯端末において、
前記第１の表示手段もしくは前記第２の表示手段のいずれか一方を挟んで対角する位置に設けられた第１のスピーカおよび第２のスピーカと、
前記第１の表示手段もしくは前記第２の表示手段のどちらで表示されているかを検出する第１の検出手段と、
前記第１の検出手段による検出結果に基づいて、前記第１のスピーカと前記第２のスピーカとに対する、左成分の音声と右成分の音声との出力を切り替える音声出力切替手段と
を具備することを特徴とする携帯端末。
【請求項５】
当該携帯端末の傾きを検出する第２の検出手段を具備し、
前記音声出力切替手段は、前記第１の検出手段による検出結果に加えて、前記第２の検出手段による検出結果に基づいて、前記第１のスピーカと前記第２のスピーカとに対する、左成分の音声と右成分の音声との出力を切り替えることを特徴とする請求項４記載の携帯端末。
【請求項６】
前記音声出力切替手段は、前記第２の検出手段による検出結果に基づいて、当該携帯端末が縦置きまたは横置きにされた場合に、前記第１のスピーカと前記第２のスピーカのうち、どちらが左側に位置し、どちらが右側に位置するかを判断することを特徴とする請求項５記載の携帯端末。
【請求項７】
対角に位置する前記第１のスピーカと前記第２のスピーカとの音声の定位を、前記第１の表示手段もしくは前記第２の表示手段のうち、表示されている側の左右に擬似的に移動させる音声定位移動手段を具備することを特徴とする請求項４ないし６記載の携帯端末。
【請求項８】
正面に第１の表示手段と背面に第２の表示手段とが設けられた表示部筐体とキー入力手段が設けられた操作部筐体とを備える二つ折りの携帯端末での音声再生方法において、
前記第１の表示手段もしくは前記第２の表示手段のどちらで表示されているかを検出し、どちらで表示されているかに基づいて、前記第１の表示手段もしくは前記第２の表示手段のいずれか一方を挟んで対向する位置に設けられた第１のスピーカおよび第２のスピーカとに対する、左成分の音声と右成分の音声との出力を切り替えることを特徴とする音声再生方法。
【請求項９】
さらに、当該携帯端末の傾きを検出し、前記第１の表示手段もしくは前記第２の表示手段のどちらで表示されているかに加えて、当該携帯端末の傾きに基づいて、前記第１のスピーカと前記第２のスピーカとに対する、左成分の音声と右成分の音声との出力を切り替えることを特徴とする請求項８記載の音声再生方法。
【請求項１０】
当該携帯端末の傾きに基づいて、当該携帯端末が横置きにされた場合に、前記第１のスピーカと前記第２のスピーカのうち、どちらが左側に位置し、どちらが右側に位置するかを判断することを特徴とする請求項９記載の音声再生方法。
【請求項１１】
正面に第１の表示手段と背面に第２の表示手段とが設けられた表示部筐体とキー入力手段が設けられた操作部筐体とを備える二つ折りの携帯端末での音声再生方法において、
前記第１の表示手段もしくは前記第２の表示手段のどちらで表示されているかを検出し、どちらで表示されているかに基づいて、前記第１の表示手段もしくは前記第２の表示手段のいずれか一方を挟んで対角する位置に設けられた第１のスピーカおよび第２のスピーカに対する、左成分の音声と右成分の音声との出力を切り替えることを特徴とする音声再生方法。
【請求項１２】
当該携帯端末の傾きを検出し、前記第１の表示手段もしくは前記第２の表示手段のどちらで表示されているかに加えて、当該携帯端末の傾きに基づいて、前記第１のスピーカと前記第２のスピーカとに対する、左成分の音声と右成分の音声との出力を切り替えることを特徴とする請求項１１記載の音声再生方法。
【請求項１３】
当該携帯端末の傾きに基づいて、当該携帯端末が縦置きまたは横置きにされた場合に、前記第１のスピーカと前記第２のスピーカのうち、どちらが左側に位置し、どちらが右側に位置するかを判断することを特徴とする請求項１２記載の音声再生方法。
【請求項１４】
対角に位置する前記第１のスピーカと前記第２のスピーカとの音声の定位を、前記第１の表示手段もしくは前記第２の表示手段のうち、表示されている側の左右に擬似的に移動させることを特徴とする請求項８ないし１３記載の音声再生方法。
【発明の詳細な説明】
【技術分野】
【０００１】
本発明は、ステレオ音声再生機能を有する携帯端末および音声再生方法に関する。
【背景技術】
【０００２】
ステレオ音声再生機能を有する携帯端末において、表示画面の対向する２つの角部に近接してスピーカを設けてステレオ音声再生用のスピーカとし、表示画面を縦長にして使用するか、横長にして使用するかに応じて、ステレオ音声の夫々のチャンネルを再生するスピーカを切り替えて、常に表示画面から見て、右側に配置されるスピーカで右チャンネルを再生し、左側に配置されるスピーカで左チャンネルを再生するようにした携帯端末が提案されている（例えば特許文献１参照）。
【特許文献１】特開２００３−７８６０１号公報、図５
【発明の開示】
【発明が解決しようとする課題】
【０００３】
ところで、上述した従来技術では、操作部筐体と表示部筐体とからなる２つ折りの構造を有する、ステレオ音声再生機能を有する携帯端末を想定している。そのため、開いた状態の横置きの場合（表示部筐体が左側、操作部筐体が右側、もしくは表示部筐体が右側、操作部筐体が左側）、表示部の左右からステレオ音声再生を行うようになっている。しかしながら、表示部筐体の正面に第１の表示部、表示部筐体の背面に第２の表示部が設けられた携帯端末において、第２の表示部でのステレオ音声再生に対して何ら言及されていなかった。
【０００４】
そこで本発明は、表示部筐体の正面に設けられた正面表示部または表示部筐体の背面に設けられた背面表示部のいずれで表示している場合でも、最適なステレオ音声再生を行うことができる携帯端末および音声再生方法を提供することを目的とする。
【課題を解決するための手段】
【０００５】
上記目的達成のため、請求項１記載の発明による携帯端末は、正面に第１の表示手段と背面に第２の表示手段とが設けられた表示部筐体とキー入力手段が設けられた操作部筐体とを備えるステレオ音声再生機能を有する二つ折りの携帯端末において、前記第１の表示手段もしくは前記第２の表示手段のいずれか一方を挟んで対向する位置に設けられた第１のスピーカおよび第２のスピーカと、前記第１の表示手段もしくは前記第２の表示手段のどちらで表示されているかを検出する第１の検出手段と、前記第１の検出手段による検出結果に基づいて、前記第１のスピーカと前記第２のスピーカとに対する、左成分の音声と右成分の音声との出力を切り替える音声出力切替手段とを具備することを特徴とする。
【０００６】
また、好ましい態様として、例えば請求項２記載のように、請求項１記載の携帯端末において、当該携帯端末の傾きを検出する第２の検出手段を具備し、前記音声出力切替手段は、前記第１の検出手段による検出結果に加えて、前記第２の検出手段による検出結果に基づいて、前記第１のスピーカと前記第２のスピーカとに対する、左成分の音声と右成分の音声との出力を切り替えるようにしてもよい。
【０００７】
また、好ましい態様として、例えば請求項３記載のように、請求項２記載の携帯端末において、前記音声出力切替手段は、前記第２の検出手段による検出結果に基づいて、当該携帯端末が横置きにされた場合に、前記第１のスピーカと前記第２のスピーカのうち、どちらが左側に位置し、どちらが右側に位置するかを判断するようにしてもよい。
【０００８】
また、上記目的達成のため、請求項４記載の発明による携帯端末は、正面に第１の表示手段と背面に第２の表示手段とが設けられた表示部筐体とキー入力手段が設けられた操作部筐体とを備えるステレオ音声再生機能を有する二つ折りの携帯端末において、前記第１の表示手段もしくは前記第２の表示手段のいずれか一方を挟んで対角する位置に設けられた第１のスピーカおよび第２のスピーカと、前記第１の表示手段もしくは前記第２の表示手段のどちらで表示されているかを検出する第１の検出手段と、前記第１の検出手段による検出結果に基づいて、前記第１のスピーカと前記第２のスピーカとに対する、左成分の音声と右成分の音声との出力を切り替える音声出力切替手段とを具備することを特徴とする。
【０００９】
また、好ましい態様として、例えば請求項５記載のように、請求項４記載の携帯端末において、当該携帯端末の傾きを検出する第２の検出手段を具備し、前記音声出力切替手段は、前記第１の検出手段による検出結果に加えて、前記第２の検出手段による検出結果に基づいて、前記第１のスピーカと前記第２のスピーカとに対する、左成分の音声と右成分の音声との出力を切り替えるようにしてもよい。
【００１０】
また、好ましい態様として、例えば請求項６記載のように、請求項５記載の携帯端末において、前記音声出力切替手段は、前記第２の検出手段による検出結果に基づいて、当該携帯端末が縦置きまたは横置きにされた場合に、前記第１のスピーカと前記第２のスピーカのうち、どちらが左側に位置し、どちらが右側に位置するかを判断するようにしてもよい。
【００１１】
また、好ましい態様として、例えば請求項７記載のように、請求項４ないし６記載の携帯端末において、対角に位置する前記第１のスピーカと前記第２のスピーカとの音声の定位を、前記第１の表示手段もしくは前記第２の表示手段のうち、表示されている側の左右に擬似的に移動させる音声定位移動手段を具備するようにしてもよい。
【００１２】
また、上記目的達成のため、請求項８記載の発明による音声再生方法は、正面に第１の表示手段と背面に第２の表示手段とが設けられた表示部筐体とキー入力手段が設けられた操作部筐体とを備える二つ折りの携帯端末での音声再生方法において、前記第１の表示手段もしくは前記第２の表示手段のどちらで表示されているかを検出し、どちらで表示されているかに基づいて、前記第１の表示手段もしくは前記第２の表示手段のいずれか一方を挟んで対向する位置に設けられた第１のスピーカおよび第２のスピーカとに対する、左成分の音声と右成分の音声との出力を切り替えることを特徴とする。
【００１３】
また、好ましい態様として、例えば請求項９記載のように、請求項８記載の音声再生方法において、さらに、当該携帯端末の傾きを検出し、前記第１の表示手段もしくは前記第２の表示手段のどちらで表示されているかに加えて、当該携帯端末の傾きに基づいて、前記第１のスピーカと前記第２のスピーカとに対する、左成分の音声と右成分の音声との出力を切り替えるようにしてもよい。
【００１４】
また、好ましい態様として、例えば請求項１０記載のように、請求項９記載の音声再生方法において、当該携帯端末の傾きに基づいて、当該携帯端末が横置きにされた場合に、前記第１のスピーカと前記第２のスピーカのうち、どちらが左側に位置し、どちらが右側に位置するかを判断するようにしてもよい。
【００１５】
また、上記目的達成のため、請求項１１記載の発明による音声再生方法は、正面に第１の表示手段と背面に第２の表示手段とが設けられた表示部筐体とキー入力手段が設けられた操作部筐体とを備える二つ折りの携帯端末での音声再生方法において、前記第１の表示手段もしくは前記第２の表示手段のどちらで表示されているかを検出し、どちらで表示されているかに基づいて、前記第１の表示手段もしくは前記第２の表示手段のいずれか一方を挟んで対角する位置に設けられた第１のスピーカおよび第２のスピーカに対する、左成分の音声と右成分の音声との出力を切り替えることを特徴とする。
【００１６】
また、好ましい態様として、例えば請求項１２記載のように、請求項１１記載の音声再生方法において、当該携帯端末の傾きを検出し、前記第１の表示手段もしくは前記第２の表示手段のどちらで表示されているかに加えて、当該携帯端末の傾きに基づいて、前記第１のスピーカと前記第２のスピーカとに対する、左成分の音声と右成分の音声との出力を切り替えるようにしてもよい。
【００１７】
また、好ましい態様として、例えば請求項１３記載のように、請求項１２記載の音声再生方法において、当該携帯端末の傾きに基づいて、当該携帯端末が縦置きまたは横置きにされた場合に、前記第１のスピーカと前記第２のスピーカのうち、どちらが左側に位置し、どちらが右側に位置するかを判断するようにしてもよい。
【００１８】
また、好ましい態様として、例えば請求項１４記載のように、請求項８ないし１３記載の音声再生方法において、対角に位置する前記第１のスピーカと前記第２のスピーカとの音声の定位を、前記第１の表示手段もしくは前記第２の表示手段のうち、表示されている側の左右に擬似的に移動させるようにしてもよい。
【発明の効果】
【００１９】
請求項１記載の発明によれば、第１の検出手段により、前記第１の表示手段もしくは前記第２の表示手段のどちらで表示されているかを検出し、音声出力切替手段により、該検出結果に基づいて、前記第１の表示手段もしくは前記第２の表示手段のいずれか一方を挟んで対向する位置に設けられた第１のスピーカと前記第２のスピーカとに対する、左成分の音声と右成分の音声との出力を切り替えるようにしたので、表示部筐体の正面に設けられた正面表示部または表示部筐体の背面に設けられた背面表示部のいずれで表示している場合でも、最適なステレオ音声再生を行うことができるという利点が得られる。
【００２０】
また、請求項２記載の発明によれば、前記音声出力切替手段により、前記第１の検出手段による検出結果に加えて、前記第２の検出手段による当該携帯端末の傾きに基づいて、前記第１のスピーカと前記第２のスピーカとに対する、左成分の音声と右成分の音声との出力を切り替えるようにしたので、表示部筐体の正面に設けられた正面表示部または表示部筐体の背面に設けられた背面表示部のいずれで表示している場合でも、また、携帯端末を上下逆にして表示している場合でも、最適なステレオ音声再生を行うことができるという利点が得られる。
【００２１】
また、請求項３記載の発明によれば、前記音声出力切替手段により、前記第２の検出手段による当該携帯端末の傾きに基づいて、当該携帯端末が横置きにされた場合に、前記第１のスピーカと前記第２のスピーカのうち、どちらが左側に位置し、どちらが右側に位置するかを判断するようにしたので、表示部筐体の正面に設けられた正面表示部または表示部筐体の背面に設けられた背面表示部のいずれで表示している場合でも、また、横置きで携帯端末を上下逆にして表示している場合でも、最適なステレオ音声再生を行うことができるという利点が得られる。
【００２２】
また、請求項４記載の発明によれば、第１の検出手段により、前記第１の表示手段もしくは前記第２の表示手段のどちらで表示されているかを検出し、音声出力切替手段により、当該検出結果に基づいて、前記第１の表示手段もしくは前記第２の表示手段のいずれか一方を挟んで対角する位置に設けられた第１のスピーカと前記第２のスピーカとに対する、左成分の音声と右成分の音声との出力を切り替えるようにしたので、表示部筐体の正面に設けられた正面表示部または表示部筐体の背面に設けられた背面表示部のいずれで表示している場合でも、かつ横置きまたは縦置きのいずれでも、最適なステレオ音声再生を行うことができるという利点が得られる。
【００２３】
また、請求項５記載によれば、第２の検出手段により、当該携帯端末の傾きを検出し、前記音声出力切替手段により、前記第１の検出手段による検出結果に加えて、前記第２の検出手段による当該携帯端末の傾きに基づいて、前記第１のスピーカと前記第２のスピーカとに対する、左成分の音声と右成分の音声との出力を切り替えるようにしたので、表示部筐体の正面に設けられた正面表示部または表示部筐体の背面に設けられた背面表示部のいずれで表示している場合でも、かつ横置きまたは縦置きのいずれでも、また、横置きまたは縦置きで携帯端末を上下逆にして表示している場合でも、最適なステレオ音声再生を行うことができるという利点が得られる。
【００２４】
また、請求項６記載の発明によれば、前記音声出力切替手段により、前記第２の検出手段による当該携帯端末の傾きに基づいて、当該携帯端末が縦置きまたは横置きにされた場合に、前記第１のスピーカと前記第２のスピーカのうち、どちらが左側に位置し、どちらが右側に位置するかを判断するようにしたので、表示部筐体の正面に設けられた正面表示部または表示部筐体の背面に設けられた背面表示部のいずれで表示している場合でも、かつ横置きまたは縦置きのいずれでも、また、横置きまたは縦置きで携帯端末を上下逆にして表示している場合でも、最適なステレオ音声再生を行うことができるという利点が得られる。
【００２５】
また、請求項７記載の発明によれば、音声定位移動手段により、対角に位置する前記第１のスピーカと前記第２のスピーカとの音声の定位を、前記第１の表示手段もしくは前記第２の表示手段のうち、表示されている側の左右に擬似的に移動させるようにしたので、表示部筐体の正面に設けられた正面表示部または表示部筐体の背面に設けられた背面表示部のいずれで表示している場合でも、かつ横置きまたは縦置きのいずれでも、また、横置きまたは縦置きで携帯端末を上下逆にして表示している場合でも、より最適なステレオ音声再生を行うことができるという利点が得られる。
【００２６】
また、請求項８記載によれば、前記第１の表示手段もしくは前記第２の表示手段のどちらで表示されているかを検出し、どちらで表示されているかに基づいて、前記第１の表示手段もしくは前記第２の表示手段のいずれか一方を挟んで対向する位置に設けられた第１のスピーカおよび第２のスピーカとに対する、左成分の音声と右成分の音声との出力を切り替えるようにしたので、表示部筐体の正面に設けられた正面表示部または表示部筐体の背面に設けられた背面表示部のいずれで表示している場合でも、最適なステレオ音声再生を行うことができるという利点が得られる。
【００２７】
また、請求項９記載の発明によれば、さらに、当該携帯端末の傾きを検出し、前記第１の表示手段もしくは前記第２の表示手段のどちらで表示されているかに加えて、当該携帯端末の傾きに基づいて、前記第１のスピーカと前記第２のスピーカとに対する、左成分の音声と右成分の音声との出力を切り替えるようにしたので、表示部筐体の正面に設けられた正面表示部または表示部筐体の背面に設けられた背面表示部のいずれで表示している場合でも、また、携帯端末を上下逆にして表示している場合でも、最適なステレオ音声再生を行うことができるという利点が得られる。
【００２８】
また、請求項１０記載の発明によれば、当該携帯端末の傾きに基づいて、当該携帯端末が横置きにされた場合に、前記第１のスピーカと前記第２のスピーカのうち、どちらが左側に位置し、どちらが右側に位置するかを判断するようにしたので、表示部筐体の正面に設けられた正面表示部または表示部筐体の背面に設けられた背面表示部のいずれで表示している場合でも、また、横置きで携帯端末を上下逆にして表示している場合でも、最適なステレオ音声再生を行うことができるという利点が得られる。
【００２９】
また、請求項１１記載によれば、前記第１の表示手段もしくは前記第２の表示手段のどちらで表示されているかを検出し、どちらで表示されているかに基づいて、前記第１の表示手段もしくは前記第２の表示手段のいずれか一方を挟んで対角する位置に設けられた第１のスピーカおよび第２のスピーカに対する、左成分の音声と右成分の音声との出力を切り替えるようにしたので、表示部筐体の正面に設けられた正面表示部または表示部筐体の背面に設けられた背面表示部のいずれで表示している場合でも、かつ横置きまたは縦置きのいずれでも、最適なステレオ音声再生を行うことができるという利点が得られる。
【００３０】
また、請求項１２記載の発明によれば、当該携帯端末の傾きを検出し、前記第１の表示手段もしくは前記第２の表示手段のどちらで表示されているかに加えて、当該携帯端末の傾きに基づいて、前記第１のスピーカと前記第２のスピーカとに対する、左成分の音声と右成分の音声との出力を切り替えるようにしたので、表示部筐体の正面に設けられた正面表示部または表示部筐体の背面に設けられた背面表示部のいずれで表示している場合でも、かつ横置きまたは縦置きのいずれでも、また、横置きまたは縦置きで携帯端末を上下逆にして表示している場合でも、最適なステレオ音声再生を行うことができるという利点が得られる。
【００３１】
また、請求項１３記載によれば、当該携帯端末の傾きに基づいて、当該携帯端末が縦置きまたは横置きにされた場合に、前記第１のスピーカと前記第２のスピーカのうち、どちらが左側に位置し、どちらが右側に位置するかを判断するようにしたので、表示部筐体の正面に設けられた正面表示部または表示部筐体の背面に設けられた背面表示部のいずれで表示している場合でも、かつ横置きまたは縦置きのいずれでも、また、横置きまたは縦置きで携帯端末を上下逆にして表示している場合でも、最適なステレオ音声再生を行うことができるという利点が得られる。
【００３２】
また、請求項１４記載の発明によれば、対角に位置する前記第１のスピーカと前記第２のスピーカとの音声の定位を、前記第１の表示手段もしくは前記第２の表示手段のうち、表示されている側の左右に擬似的に移動させるようにしたので、表示部筐体の正面に設けられた正面表示部または表示部筐体の背面に設けられた背面表示部のいずれで表示している場合でも、かつ横置きまたは縦置きのいずれでも、また、横置きまたは縦置きで携帯端末を上下逆にして表示している場合でも、より最適なステレオ音声再生を行うことができるという利点が得られる。
【発明を実施するための最良の形態】
【００３３】
以下、本発明の実施の形態を、図面を参照して説明する。
Ａ．第１実施形態
Ａ−１．第１実施形態の構成
図１は、本第１実施形態によるステレオ音声再生機能付携帯端末の略構成を示すブロック図である。また、図２は、本第１実施形態によるステレオ音声再生機能付携帯端末の使用形態を説明するための模式図である。図１において、ステレオ音声再生機能付携帯端末２００（以下、単に携帯端末２００と呼ぶ）は、制御部２０１の制御により、携帯端末２００の内部が制御され、映像表示や音声出力が行われる。制御部２０１の動作は、記憶部２０２に格納されている制御プログラムに従い動作する。記憶部２０２には、制御プログラムの他に、映像データや音声データなども格納されている。
【００３４】
制御部２０２は、記憶部２０２から映像データと音声データを読み出し、映像データを映像再生部２０３に出力し、音声データを音声再生部２０４に出力する。映像再生部２０４は、映像データを再生する。映像再生部２０１からの映像出力は、制御部２０１が制御する映像切り替え部２０５を介して、正面表示部（第１の表示部）２０６または背面表示部（第２の表示部）２０７のいずれか一方に供給される。
【００３５】
また、音声再生部２０４は、ステレオ音声を再生する。音声再生部２０４からの右（Ｒ）成分音声出力は、制御部２０１が制御する第１の音声切り替え部２０８を介して、スピーカ２０９（表示部を挟んで、ヒンジ部２１３側と反対側に位置するスピーカ：図２を参照）またはスピーカ２１０（表示部を挟んで、ヒンジ部２１３側に位置するスピーカ：図２を参照）のいずれか一方に供給される。同様に、音声再生部２０４からの左（Ｌ）成分音声出力は、制御部２０１が制御する第２の音声切り替え部２１１を介して、スピーカ２０９またはスピーカ２１０のいずれか一方に供給される。基本的には、スピーカ２０９が右（Ｒ）成分の音声出力であり、スピーカ２１０が左（Ｌ）成分の音声出力となっている。
【００３６】
すなわち、ステレオ音声再生時は、スピーカ２０９から右（Ｒ）成分の音声が出力され、スピーカ２１０から左（Ｌ）成分の音声が出力される組み合わせと、スピーカ２０９から左（Ｌ）成分の音声が出力され、スピーカ２１０から右（Ｒ）成分の音声が出力される組み合わせとの２つの組み合わせがある。
【００３７】
開閉検出部２１２は、ヒンジ部２１３の開閉を検出して、携帯端末２００が開いた状態か閉じた状態かを検出する。制御部２０１は、上記開閉検出部２１２の検出結果に基づいて、映像切り替え部２０５を制御し、携帯端末２００が開いた状態であれば、映像再生部２０１からの映像出力を、正面表示部２０６に供給し、携帯端末２００が閉じた状態であれば、背面表示部２０７に供給する。
【００３８】
傾きセンサ部２１４は、表示部筐体の傾きを検出する。本実施形態による携帯端末２００では、ユーザは、正面表示部２０６または背面表示部２０７を、ヒンジ部２１３に対して左側、右側のいずれでも表示画面を見ることができるようになっている。通常、ユーザは、表示画面を正立状態で見る際、表示画面の中央水平軸を基準として、表示画面下部を手前に、表示画面上部を反対側に傾ける。したがって、本実施形態では、傾きセンサ部２１４により表示部筐体の傾きを検出することで、表示画面の正立状態を判断している。
【００３９】
制御部２０１は、傾きセンサ部２１４の検出結果に応じて、ヒンジ部２１３が正面表示部２０６または背面表示部２０７の左側に位置するか、あるいは右側に位置するかを判断する。すなわち、背面表示部２０７で表示している場合（閉じた状態の横置きの場合）には、ヒンジ部２１３が表示部の右側の状態で閉じられ、閉じられた結果、ヒンジ部２１３が背面表示部２０７の左側の状態で閉じられ、閉じられた結果、ヒンジ部２１３が背面表示部２０７の右側の状態（図２（ａ））なのか、それとも、ヒンジ部２１３が背面表示部２０７の左側の状態（図２（ｂ））なのかを判断する。
【００４０】
また、正面表示部２０６で表示している場合（開いた状態の横置きの場合）には、表示部筐体１０２が左側で操作部筐体１０１が右側の状態（図２（ｃ）：ヒンジ部２１３が正面表示部２０６の右側の状態）なのか、表示部筐体１０２が右側で操作部筐体１０１が左側の状態（図２（ｄ）：ヒンジ部２１３が正面表示部２０６の左側の状態）なのかを判断する。
【００４１】
また、制御部２０１は、操作部２１５からの、ユーザから操作（携帯端末２００に対する指示や、文字入力操作等）を受け入れ、その操作に対応した制御を行う。
【００４２】
図２（ａ）〜（ｄ）には、携帯端末２００の横から見た形態（図２の左側）と上から見た形態（図２の右側）を示し、操作部筐体１０１と表示部筐体１０２が、ヒンジ部２１３を回転軸として、閉じた状態（図２（ａ）および図２（ｂ））もしくは開いた状態（図２（ｃ）および図２（ｄ））を示している。
【００４３】
正面表示部２０６は、操作部筐体１０１と表示部筐体１０２が、ヒンジ部２１３を回転軸として、閉じた状態（図２（ａ）および図２（ｂ））で表示面が内側になるように配置され、背面表示部２０７は、操作部筐体１０１と表示部筐体１０２がヒンジ部２１３を回転軸として閉じた状態（図２（ａ）および図２（ｂ））で表示面が外側になるように配置されている。
【００４４】
スピーカ２０９（表示部を挟んで、ヒンジ部２１３の反対側に位置するスピーカ）およびスピーカ２１０（表示部を挟んで、ヒンジ部２１３側に位置するスピーカ）は、表示部筐体１０２の背面側に位置し、背面表示部２０７の左右に配置されている。
【００４５】
また、図２（ａ）および図２（ｂ）に示すように、閉じた状態では、背面表示部２０７で表示を行い、図２（ｃ）および図２（ｄ）に示すように、開いた状態では、正面表示部２０６で表示を行う。そして、図２（ｃ）に示すように開いた状態で表示部筐体１０２を閉じると、図２（ｂ）に示すように閉じた状態に移行し、図２（ｃ）に示すように開いた状態で１８０度回転させると、図２（ｄ）に示すように開いた状態に移行する。さらに、図２（ｄ）に示すように開いた状態で表示部筐体１０２を閉じると、図２（ａ）に示すように閉じた状態に移行し、図２（ａ）の閉じた状態で１８０度回転させると、図２（ｂ）に示すように閉じた状態に移行する。
【００４６】
Ａ−２．第１実施形態の動作
次に、上述した第１実施形態の動作について説明する。ここで、図３は、本第１実施形態による携帯端末２００の動作を説明するためのフローチャートである。ステレオ音声再生時には、スピーカ（表示部をはさんで、ヒンジ部２１３側と反対側に位置するスピーカ）２０９から右（Ｒ）成分の音声が出力され、スピーカ（表示部をはさんで、ヒンジ部２１３側に位置するスピーカ）２１０から左（Ｌ）成分の音声が出力される組み合わせと、スピーカ（表示部をはさんで、ヒンジ部２１３側と反対側に位置するスピーカ）２０９から左（Ｌ）成分の音声が出力され、スピーカ（表示部をはさんで、ヒンジ部２１３側に位置するスピーカ）２１０から右（Ｒ）成分の音声が出力される組み合わせとの２つの組み合わせがある。以下、どちらの組み合わせを採用するかについて図３のフローチャートを参照して説明する。
【００４７】
携帯端末２００において表示処理が開始されると、まず、開閉検出部２１２の検出結果に従って正面表示部２０６を表示画面としているのか、背面表示部２０７を表示画面としているのかを判断する（ステップＳ１０）。すなわち、開閉検出部２１２の検出結果が開いた状態を示す場合には、正面表示部２０６が表示画面であると判断し、閉じた状態であれば、背面表示部２０７が表示面であると判断する。
【００４８】
そして、背面表示部２０７が表示画面である場合には、傾きセンサ部２１４の検出結果に従って、ヒンジ部２１３が表示画面の左側に存在するか、表示画面の右側に存在するかを判断する（ステップＳ１２）。
【００４９】
ここで、ヒンジ部２１３が表示画面の右側に存在する場合には、図２（ａ）に示すように、左右の出力先スピーカを入れ替え、スピーカ２０９から左（Ｌ）成分の音声を出力し、スピーカ２１０から右（Ｒ）成分の音声を出力する（ステップＳ１４）。これは、図１において、映像再生部２０１からの映像出力が映像切り替え部２０５を介して背面表示部２０７に供給され、音声再生部２０４からの右（Ｒ）成分音声出力が第２の音声切り替え部２１１を介してスピーカ２１０に供給され、さらに、音声再生部２０４からの左（Ｌ）成分音声出力が第１の音声切り替え部２０８を介してスピーカ２０９に供給された状態である。
【００５０】
一方、ヒンジ部２１３が表示画面の左側に存在する場合には、図２（ｂ）に示すように、スピーカ２０９から右（Ｒ）成分の音声を出力し、スピーカ２１０から左（Ｌ）成分の音声を出力する。これは、図１において、映像再生部２０１からの映像出力が映像切り替え部２０５を介して背面表示部２０７に供給され、音声再生部２０４からの右（Ｒ）成分音声出力が第１の音声切り替え部２０８を介してスピーカ２０９に供給され、さらに、音声再生部２０４からの左（Ｌ）成分音声出力が第２の音声切り替え部２１１を介してスピーカ２１０に供給された状態である。
【００５１】
一方、ステップＳ１０で、正面表示部２０６が表示画面である場合には、傾きセンサ部２１４の検出結果に従って、ヒンジ部２１３が表示画面の左側に存在するか、表示画面の右側に存在するかを判断する（ステップＳ１８）。
【００５２】
ここで、ヒンジ部２１３が表示画面の右側に存在する場合には、図２（ｃ）に示すように、左右の出力先スピーカを入れ替え、スピーカ２０９から左（Ｌ）成分の音声を出力し、スピーカ２１０から右（Ｒ）成分の音声を出力する（ステップＳ２０）。これは、図１において、映像再生部２０１からの映像出力が映像切り替え部２０５を介して正面表示部２０６に供給され、音声再生部２０４からの右（Ｒ）成分音声出力が第２の音声切り替え部２１１を介してスピーカ２１０に供給され、さらに、音声再生部２０４からの左（Ｌ）成分音声出力が第１の音声切り替え部２０８を介してスピーカ２０９に供給された状態である。
【００５３】
一方、ヒンジ部２１３が表示画面の左側に存在する場合には、図２（ｄ）に示すように、スピーカ２０９から右（Ｒ）成分の音声を出力し、スピーカ２１０から左（Ｌ）成分の音声を出力する。これは、図１において、映像再生部２０１からの映像出力が映像切り替え部２０５を介して正面表示部２０６に供給され、音声再生部２０４からの右（Ｒ）成分音声出力が第１の音声切り替え部２０８を介してスピーカ２０９に供給され、さらに、音声再生部２０４からの左（Ｌ）成分音声出力が第２の音声切り替え部２１１を介してスピーカ２１０に供給された状態である。
【００５４】
以上説明した如く、本第１実施形態では、携帯端末２００がどのような状態にあっても、表示画面に対して右側に位置するスピーカから右（Ｒ）成分の音声が出力され、表示画面に対して左側に位置するスピーカから左（Ｌ）成分の音声が出力される。この結果、表示画面とステレオ音声との関係を携帯端末２００の状態にかかわらず維持することができる。
【００５５】
Ｂ．第２実施形態
次に、本発明の第２実施形態について説明する。上述した第１実施形態では、携帯端末２００を横置きにして表示する状態を説明したが、本第２実施形態では、縦置きにして表示する状態も考慮した場合について説明する。
【００５６】
Ｂ−１．第２実施形態の構成
図４（ａ）〜（ｄ）は、携帯端末２００を開いて、かつ縦置きもしくは横置きにして表示する場合の各状態を示す模式図であり、図４（ｅ）〜（ｈ）は、携帯端末２００を閉じて、かつ縦置きもしくは横置きにして表示する場合の各状態を示す模式図である。本第２実施形態による携帯端末２００の構成は、基本的に第１実施形態と同じであるが、縦置きもしくは横置き表示を考慮し、図４（ａ）〜（ｈ）に示すように、スピーカ２０９、２１０を、表示画面に対して対角の位置に配置している点が異なっている。
【００５７】
携帯端末２００を開いた状態では、図４（ａ）に示すように、操作部側筐体１０１が下で、表示部側筐体１０２が上である状態を基準とし、携帯端末２００を閉じた状態では、図４（ｅ）に示すように、図４（ａ）に示す状態で閉じた状態（ヒンジ部２１３が下側になった状態）を基準としている。すなわち、携帯端末２００を開いた状態から閉じた状態に移行する関係は、図４（ａ）に示す状態が、ヒンジ部２１３が上側となる図４（ｅ）に示す状態に対応し、図４（ｂ）に示す状態が、ヒンジ部２１３が右側となる図４（ｈ）に示す状態に対応し、図４（ｃ）に示す状態が、ヒンジ部２１３が下側となる図４（ｇ）に示す状態に対応し、図４（ｄ）に示す状態が、ヒンジ部２１３が左側となる図４（ｆ）に示す状態に対応する。
【００５８】
Ｂ−２．第２実施形態の動作
まず、携帯端末２００を開いた状態（図４（ａ）〜（ｄ））について説明する。ここで、図５は、図４（ａ）〜（ｄ）に示す、開いた状態における携帯端末２００の動作を説明するためのフローチャートである。ここでは、図４（ａ）に示すように、操作部側筐体１０１が下で、表示部側筐体１０２が上にある状態を基準とし、携帯端末２００を開いた状態では、開閉検出部２１２の検出結果に従って表示面を正面表示部２０６にしている。
【００５９】
携帯端末２００において表示処理が開始されると、正面表示部２０６での表示状態において、傾きセンサ部２１４の検出結果に従って、ヒンジ部２１３が、表示画面の右側もしくは上側に存在するか、または、表示画面の左側もしくは下側に存在するかを判断する（ステップＳ３０）。そして、ヒンジ部２１３が表示画面の右側もしくは上側に存在する場合には、左右の出力先スピーカを入れ替え、スピーカ２０９から左（Ｌ）成分の音声を出力し、スピーカ２１０から右（Ｒ）成分の音声を出力する（ステップＳ３２）。これは、図４（ｃ）または図４（ｄ）のいずれかの状態である。
【００６０】
次に、正面表示部２０６での表示状態において、傾きセンサ部２１４の検出結果に従って、ヒンジ部２１３が、表示画面の右側に存在するか、または表示画面の上側に存在するかを判断する（ステップＳ３４）。そして、ヒンジ部２１３が表示画面の右側に存在する場合には、図４（ｄ）に示すように、正面表示部２０６が基準状態から右方向に２７０度回転した状態にあると判断し、その回転状態に合わせて映像に回転処理を実行して正面表示部２０６に表示する（ステップＳ３６）。一方、ヒンジ部２１３が表示画面の上側に存在する場合には、図４（ｃ）に示すように、正面表示部２０６が基準状態から右方向に１８０度回転した状態にあると判断し、その回転状態に合わせて映像に回転処理を実行して正面表示部２０６に表示する（ステップＳ３８）。
【００６１】
また、ヒンジ部２１３が表示画面の左側もしくは下側に存在する場合には、スピーカ２０９から右（Ｒ）成分の音声を出力し、スピーカ２１０から左（Ｌ）成分の音声を出力する（ステップＳ４０）。これは、図４（ａ）または図４（ｂ）のいずれかの状態である。
【００６２】
次に、正面表示部２０６での表示状態において、傾きセンサ部２１４の検出結果に従って、ヒンジ部２１３が表示画面の左側に存在するか、または表示画面の下側に存在するかを判断する（ステップＳ４２）。そして、ヒンジ部２１３が表示画面の左側に存在する場合には、図４（ｂ）に示すように、正面表示部２０６が基準状態から右方向に９０度回転した状態にあると判断し、その回転状態に合わせて映像に回転処理を実行して正面表示部２０６に表示する（ステップＳ４４）。一方、ヒンジ部２１３が表示画面の下側に存在する場合には、図４（ａ）に示すように、正面表示部２０６が基準状態（右方向に０度回転した状態）にあると判断し、映像に回転処理を実行することなく正面表示部２０６に表示する（ステップＳ４６）。
【００６３】
次に、携帯端末２００を閉じた状態（図４（ｅ）〜（ｈ））について説明する。ここで、図６は、図４（ｅ）〜（ｈ）に示す、閉じた状態における携帯端末２００の動作を説明するためのフローチャートである。ここでは、操作部側筐体１０１が下で、表示部側筐体１０２が上である状態（図４（ａ））から、図４（ｅ）に示すように、表示部側筐体１０２を閉じた状態では、開閉検出部２１２の検出結果に従って表示面を背面表示部２０７にしている。
【００６４】
携帯端末２００において表示処理が開始されると、背面表示部２０７での表示状態において、傾きセンサ部２１４の検出結果に従って、ヒンジ部２１３が、表示画面の右側もしくは下側に存在するか、または、表示画面の左側もしくは上側に存在するかを判断する（ステップＳ５０）。そして、ヒンジ部２１３が表示画面の右側もしくは下側に存在する場合には、ステップＳ６０７にて、スピーカ２０９から左（Ｌ）成分の音声を出力し、スピーカ２１０から右（Ｒ）成分の音声を出力する（ステップＳ５２）。これは、図４（ｈ）または図４（ｇ）のいずれかの状態である。
【００６５】
次に、背面表示部２０７での表示状態において、傾きセンサ部２１４の検出結果に従って、ヒンジ部２１３が、表示画面の右側に存在するか、または表示画面の下側に存在するかを判断する（ステップＳ５４）。そして、ヒンジ部２１３が表示画面の右側に存在する場合には、図４（ｈ）に示すように、背面表示部２０７が基準状態から左方向に２７０度回転した状態にあると判断し、その回転状態に合わせて映像に回転処理を実行して背面表示部２０７に表示する（ステップＳ５６）。一方、ヒンジ部２１３が表示画面の下側に存在する場合には、図４（ｇ）に示すように、正面表示部２０６が基準状態から左方向に１８０度回転した状態にあると判断し、その回転状態に合わせて映像に回転処理を実行して背面表示部２０７に表示する（ステップＳ５８）。
【００６６】
また、ヒンジ部２１３が表示画面の左側もしくは上側に存在する場合には、スピーカ２０９から右（Ｒ）成分の音声を出力し、スピーカ２１０から左（Ｌ）成分の音声を出力する。これは、図４（ｅ）または図４（ｆ）のいずれかの状態である。
【００６７】
次に、背面表示部２０７での表示状態において、傾きセンサ部２１４の検出結果に従って、ヒンジ部２１３が表示画面の左側に存在するか、または表示画面の上側に存在するかを判断する（ステップＳ６２）。そして、ヒンジ部２１３が表示画面の左側に存在する場合には、図４（ｆ）に示すように、正面表示部２０６が基準状態から左方向に９０度回転した状態にあると判断し、その回転状態に合わせて映像に回転処理を実行して背面表示部２０７に表示する（ステップＳ６４）。一方、ヒンジ部２１３が表示画面の上側に存在する場合には、図４（ｅ）に示すように、背面表示部２０７が基準状態（左方向に０度回転した状態）にあると判断し、映像に回転処理を実行することなく正面表示部２０６に表示する（ステップＳ６６）。
【００６８】
図５および図６のいずれのフローチャートにおいても、その後、携帯端末２００の状態が変化しないかどうかを監視し、携帯端末２００の状態変化に応じて、スピーカ２０９から右（Ｒ）成分の音声を出力し、スピーカ２１０から左（Ｌ）成分の音声を出力する組み合わせと、スピーカ２０９から左（Ｌ）成分の音声を出力し、スピーカ２１０から右（Ｒ）成分の音声を出力する組み合わせとのいずれかを採用して、ステレオ音声を再生する。
【００６９】
Ｃ．第２実施形態の変形例
次に、上述した第２実施形態の変形例について説明する。本第２実施形態の変形例では、音像の定位をより表示画面の左右に位置させるために、表示画面の対角に位置するスピーカ２０９、２１０に出力する音声信号の位相や遅延時間等を変化させることを特徴とする。ここで、図７は、本第２実施形態の変形例において、音像の定位を、より表示画面の左右に位置させる様子を示す概念図である。
【００７０】
図７（ａ）には、操作部筐体１０１を左側に、表示部筐体１０２を右側にして開いた状態で、横置きにした場合について示しており、図７（ｂ）には、操作部筐体７０１を下側に、表示部筐体７０２を上側にして開いた状態で、縦置きにした場合について示している。
【００７１】
図７（ａ）に示すように、横置きにした場合には、左（Ｌ）成分の音声の定位を擬似的に正面表示部２０６の左側７０４に移動させ、右（Ｒ）成分の音声の定位を擬似的に正面表示部２０６の右側７０５に移動させる。また、図７（ｂ）に示すように、縦置きにした場合には、左（Ｌ）成分の音声の定位を擬似的に正面表示部２０６の左側７０６に移動させ、右（Ｒ）成分の音声の定位を擬似的に正面表示部２０６の右側７０７に移動させる。
【００７２】
なお、上述した第１ないし第２実施形態、あるいは変形例では、携帯端末２００における表示画面の正立状態を、携帯端末２００の制御部２０１が、開閉検出部２１２および傾きセンサ部２１４によって開閉および傾きを検出し、ステレオ音声再生を行ったが、ユーザが操作部２１５を介して、表示画面の出力先や、回転を指示し、その指示された表示画面の出力先や、回転に応じたステレオ音声再生を行うようにしてもよい。
【図面の簡単な説明】
【００７３】
【図１】本第１実施形態による携帯端末２００の略構成を示すブロック図である。
【図２】本第１実施形態による携帯端末２００の使用形態を説明するための模式図である。
【図３】本第１実施形態による携帯端末２００の動作を説明するためのフローチャートである。
【図４】本第２実施形態において、携帯端末２００を開いて、かつ縦置きもしくは横置きにして表示する場合の各状態を示す模式図、および、携帯端末２００を閉じて、かつ縦置きもしくは横置きにして表示する場合の各状態を示す模式図である。
【図５】本第２実施形態において、携帯端末２００を開いた状態での動作を説明するためのフローチャートである。
【図６】本第２実施形態において、携帯端末２００を閉じた状態での動作を説明するためのフローチャートである。
【図７】本第２実施形態の変形例において、音像の定位を、より表示画面の左右に位置させる様子を示す概念図である。
【符号の説明】
【００７４】
１０１  操作部筐体
１０２  表示部筐体
２００  携帯端末
２０１  制御部
２０５  映像切り替え部
２０６  正面表示部（第１の表示手段）
２０７  背面表示部（第２の表示手段）
２０８  第１の音声切り替え部（音声出力切替手段）
２０９  スピーカ（第１のスピーカ）
２１０  スピーカ（第２のスピーカ）
２１１  第２の音声切り替え部（音声出力切替手段）
２１２  開閉検出部（第１の検出手段）
２１３  ヒンジ部
２１４  傾きセンサ部（第２の検出手段）
２１５  操作部
【図１】
2006174074.tif 000003
【図２】
2006174074.tif 000004
【図３】
2006174074.tif 000005
【図４】
2006174074.tif 000006
【図５】
2006174074.tif 000007
【図６】
2006174074.tif 000008
【図７】
2006174074.tif 000009